Podtech/llm-jp-corpus-v4-ja_patent huggingface dataset:
(57)【要約】【課題】従来の配管一体型電熱ケーブルでは部分的加熱しか得られず、しかも柔軟性に欠け、長さを自由に切断施工出来ない為、用途に制限された。又、電熱ケーブルを折り曲げた時、発熱体と通電線との接触部に安全性が欠ける弱点と、通電線によって電磁波を発する課題があった。【解決手段】本発明の配管一体型電熱ケーブルにおいては、内設の管５を通して、凍結防止及び温度変化によって粘度が変化する液、流体を一定の温度で維持、加温し給配出来、電熱ケーブルの折り曲げ時において、メッシュ状通電線Ｂ４、通電線Ａ２によって、発熱体３との密着性を強固にした。更に通電線Ａ２及び通電線Ｂ４が同芯軸の構造として、通電線Ａ２及び通電線Ｂ４に通電された場合に、発生する電磁波を相殺する。【選択図】      図１
2007059183.tif 000002
【特許請求の範囲】
【請求項１】
柔軟な耐熱樹脂の単管又は、複数管（以下管５）の外周部全体に通電用メッシュ線Ｂ（以下通電線Ｂ４）を装着し、その外周部全体に均一の厚さで、柔軟性を持つ発熱体（以下発熱体３）を被覆し、さらに、その外周部全体に通電用メッシュ線Ａ（以下通電線Ａ２）を被覆して、それらの外周全体に外被１を被覆した構造の電熱ケーブル。
【請求項２】
請求項１に記載の略円柱状に形成された発熱体３の内周面に、内部抵抗が低い通電材料の通電Ｂ４、外周面に同様材料の通電線Ａ２を施工して発熱体３の電極部として、密着性を強固にした構造の電熱ケーブル。
【請求項３】
請求項１及び請求項２に記載の通電線Ａ２及び通電線Ｂ４が同芯軸の構造よって、通電線Ａ２及び通電線Ｂ４に通電された場合に、発生する電磁波を相殺する構造の電熱ケーブル。
【発明の詳細な説明】
【技術分野】
【０００１】
本発明は、内設の管５を通して凍結防止及び温度変化によって粘度が変化する液、流体を一定の温度で給配出来る柔軟で防水構造であり、且つ、電磁波を発生しない配管一体型電熱ケーブルに関する。
【背景技術】
【０００２】
従来の凍結防止や温度変化によって液・流体の粘度を維持する配管の加熱においては、セラミック管にニクロム線ヒーターを埋設する又は樹脂管の内外空間に、各種ヒーターを装着する構造であった。（例えば、特許文献１、２、３参照。）
【特許文献１】特公平１０―９２５５号  公報
【特許文献２】特公平２００２―２６４７７９号  公報
【特許文献３】特公平２００５−１４７４６４号  公報
【発明の開示】
【発明が解決しようとする課題】
【０００３】
以上に述べた従来の配管一体型電熱ケーブルでは部分的加熱しか得られず、しかも柔軟性に欠け、長さを自由に切断施工出来ない為、用途に制限された。又、電熱ケーブルを折り曲げた時、発熱体と通電線との接触部に安全性が欠ける弱点と、通電線によって電磁波を発する弊害があった。
【０００４】
本発明は、このような従来の構成が有していた課題を解決しようとするものであり、内設の管５を通して凍結防止及び温度変化によって粘度が変化する液、流体を一定の温度で給配出来る柔軟で、防水構造であり、且つ、電磁波を発生しない配管一体型電熱ケーブルを実現する事を目的とするものである。
【課題を解決するための手段】
【０００５】
本発明の配管一体型電熱ケーブルにおいては、柔軟な耐熱樹脂管５（例えばポリイミド系樹脂）の外周部全体に通電Ｂ４を略同芯に施工し、その外周部全体に均一の厚さで柔軟性を持つ発熱体３（例えば自己温度制御型ＰＴＣ発熱体）を略同芯に均一に被覆し、さらにその外周部全体に通電Ａ２を略同芯に被覆し、その外周全体に柔軟な耐熱樹脂の外被１を被覆した構造とした。
【０００６】
第２の解決手段は、略円柱状に形成された発熱体３の内周面に、内部抵抗が低いメッシュ状通電材料の通電線Ｂ４、外周面に同様材料の通電線Ａ２を施工して発熱体３の電極部とした構造とした。
【０００７】
第３の解決手段は、通電線Ａ２及び通電線Ｂ４が同芯軸の構造とした。
【０００８】
上記第１の解決手段による効果は次の通りである。すなわち、内設の管５を通して、凍結防止及び温度変化によって粘度が変化する液、流体を一定の温度で維持、加温し給配出来る。
【０００９】
第２の解決手段による効果は、電熱ケーブルの折り曲げ時において、通電線Ｂ４、通電線Ａ２と発熱体３との密着性を強固にした。
【００１０】
第３の解決手段による効果は、通電線Ａ２及び通電線Ｂ４に通電された場合に、発生する電磁波を相殺する。
【発明の効果】
【００１１】
上述したように、本発明の配管一体型電熱ケーブルは凍結防止及び温度変化によって粘度が変化する液、流体を一定の温度で維持、加温し給配出来る効果がある。
【００１２】
電熱ケーブルの折り曲げ時において、通電線Ｂ４、通電線Ａ２と発熱体３との密着性を強固にし、電熱ケーブルの施工、作動時の安全性効果がある。
【００１３】
通電線Ａ２及び通電線Ｂ４に通電された場合に、通電線Ａ２及び通電線Ｂ４が発生する電磁波を相殺する効果がある。
【発明を実施するための最良の形態】
【００１４】
以下、本発明の実施の形態を図１〜図４に基づいて説明する。
図１―Ａは単管ケーブルの部分斜視図を示す。  図１―Ｂは複数管ケーブルの部分斜視図及び部分拡大視を示す。図１―Ａ、Ｂにおいて、柔軟な耐熱樹脂の管５の外周部全体に通電線Ｂ４を施工し、その外周部全体に均一の厚さで、柔軟性を持つ発熱体３を被覆し、さらにその外周部全体に通電用メッシュ線Ａ２を被覆し、その外周全体に柔軟な耐熱樹脂で電気的絶縁耐力の高い外被１を被覆装着する。
【図面の簡単な説明】
【００１５】
【図１】Ａは、単一管５を使用した電熱ケーブルの、配管一体型電熱ケーブルの部分構造斜視図。Ｂは、複合管５を使用した電熱ケーブルの、配管一体型電熱ケーブルの部分構造斜視図及び部分拡大視。
【図２】管５の外周に通電用メッシュ線Ｂ４の装着した斜視図及び拡大断面図。
【図３】通電用メッシュ線Ｂ４の外周に発熱体３の装着した斜視図及び拡大断面図。
【図４】発熱体３の外周に通電用メッシュ線Ａ２の装着した斜視図及び拡大断面図。［符号の説明］１  外被２  メッシュ状通電線Ａ３  発熱体４  メッシュ状通電線Ｂ５  管
【図１】
2007059183.tif 000003
【図２】
2007059183.tif 000004
【図３】
2007059183.tif 000005
【図４】
2007059183.tif 000006
(57)【要約】【課題】従来の自己温度制御型発熱体の電熱ケーブルの断面形状は、楕円もしくは平板となり折り曲げ半径が縦横で異なり、電熱ケーブルの接続に関して防水施工が制約を受けていた。更に、通電線Ａ、Ｂが発生する電磁波を相殺する事が出来ない構造であった。【解決手段】本発明の電熱ケーブルにおいては、通電線Ｂ４を中心に、その外周部全体に均一の厚さで、柔軟性を持つ発熱体３を通電線Ｂ４の同芯軸で被覆し、更に、その外周部全体に同芯軸で通電線Ａ２を被覆し、その外周全体に外被１を同芯軸で被覆した構造でケーブルの断面が円形状にする事によって、通電線Ａ２及び通電線Ｂ４が発生する電磁波を相互に相殺して電磁波の発生を防止し、且つ、本発明の電熱ケーブルの断面形状が円形である為、防水施工が容易で、縦横に柔軟性を有する為、曲げ易く施工が簡単な電熱ケーブル。【選択図】  図１
2007059182.tif 000002
【特許請求の範囲】
【請求項１】
導電線（以下通電線Ｂ４）を中心に、その外周部全体に均一の厚さで、柔軟性を持つ自己温度制御型ＰＴＣ発熱体（以下発熱体３）を被覆し、更に、その外周部全体に、通電線Ｂ４と略同芯軸でメッシュ状通電線Ａ（以下通電線Ａ２）を被覆し、その外周全体に電気的絶縁外被（以下外被１）を同芯軸で被覆した構造によって、通電線Ａ２及び通電線Ｂ４が発生する電磁波を相互に相殺して、外部に電磁波の発生を防止し、結果として、本発明のケーブル断面が円形である為、防水施工が容易で、上下左右に柔軟性を有する構造となり、曲げ易く施工が簡単な電熱ケーブル。
【発明の詳細な説明】
【技術分野】
【０００１】
本発明は、一般に保温、加温、融雪、凍結防止等に使用される電熱ケーブルに関する。
【背景技術】
【０００２】
従来の自己温度制御型発熱体（以下ＰＴＣ発熱体）を熱源とした電熱ケーブルを、以下図２により説明する。図において２本の通電線Ａ、Ｂを平行に配置し、その外周部にＰＴＣ発熱体を装着した構造であった。
【発明の開示】
【発明が解決しようとする課題】
【０００３】
上記の電熱ケーブルの断面形状は、楕円もしくは平板となり折り曲げ半径が縦横で異なる又、電熱ケーブルの接続に関しても防水施工が制約を受けていた。更に、通電線Ａ、Ｂが発生する電磁波を相殺する事が出来ない構造であった。
【０００４】
本発明は、従来の構成していた上記の問題を解決しようとするものであり、折り曲げが自由、防水施工が容易で、電磁波の発生を防止することを目的としたものである。
【課題を解決するための手段】
【０００５】
上記目的を達成するために、本発明の電熱ケーブルにおいては複数の導電線の撚線（以下通電線Ｂ４）を中心に、その外周部全体に均一の厚さで、柔軟性を持つ自己温度制御型ＰＴＣ発熱体（以下発熱体３）を被覆し、更に、その外周部全体に、同芯軸でメッシュ状通電線Ａ（以下通電線Ａ２）を被覆し、その外周全体に電気的絶縁外被（以下外被１）を同芯軸で被覆した構造の電熱ケーブル。
【０００６】
上記の解決手段によって、通電線Ａ２及び通電線Ｂ４が発生する電磁波を相互に相殺して電磁波の発生を防止し、且つ、本発明の電熱ケーブルの断面形状が円形である為、防水施工が容易で、縦横に柔軟性を有する為、曲げ易く施工が簡単な電熱ケーブルを提供する事が出来る。
【発明の効果】
【０００７】
本発明は、以上説明したように構成されているので、以下に記載されるような効果を奏する。
【０００８】
通電線Ａ２及び通電線Ｂ４が発生する電磁波を相互に相殺して、電磁波の発生を防止する事が出来る。
【０００９】
電熱ケーブルの断面形状が円形である為、施工時において、縦横に曲げ施工が容易に出来る。
【００１０】
電熱ケーブルの断面形状が円形である為、防水施工が容易に出来る。
【発明を実施するための最良の形態】
【００１１】
発明の実施の形態を実施例にもとづき図面を参照して説明する。図１は本発明の電熱ケーブルの部分斜視図を示す。  図１において、通電線Ｂ４を中心にその外周部全体に均一の厚さで、柔軟性を持つ発熱体３を被覆し、さらに、その外周部全体に通電線Ａ２を被覆し、更に、その外周全体に外被１を被覆した構造の電熱ケーブル。
【図面の簡単な説明】
【００１２】
【図１】電熱ケーブルの部分構造斜視図
【図２】従来の電熱線の構造斜視図
【符号の説明】
【００１３】
１  外被
２  通電線Ａ
３  発熱体
４  通電線Ｂ
【図１】
2007059182.tif 000003
【図２】
2007059182.tif 000004
(57)【要約】【課題】  経済的損失の発生を回避することができる電子機器を提供する。【解決手段】  コネクタユニット３を有する回路基板２を組み込んだ電子機器１において、コネクタユニット３を回路基板２に着脱自在に設けた。【選択図】  図１
2007059214.tif 000002
【特許請求の範囲】
【請求項１】
コネクタユニットを有する回路基板を組み込んだ電子機器において、コネクタユニットを回路基板に着脱自在に設けたことを特徴とする電子機器。
【請求項２】
前記コネクタユニットには外部記憶装置が着脱自在に取り付けられていることを特徴とする請求項１記載の電子機器。
【請求項３】
前記コネクタユニットと前記回路基板の着脱方向と、前記コネクタユニットと前記外部記憶装置の着脱方向は直交することを特徴とする請求項２記載の電子機器。
【請求項４】
前記コネクタユニットと前記回路基板の着脱方向と、前記コネクタユニットと前記外部記憶装置の着脱方向は平行であることを特徴とする請求項２記載の電子機器。
【発明の詳細な説明】
【技術分野】
【０００１】
本発明は、コネクタユニットを有する回路基板を組み込んだ電子機器に関する。
【背景技術】
【０００２】
コネクタユニットを有する回路基板を組み込んだ電子機器において、従来はコネクタユニットと回路基板は固定関係にあった。
【発明の開示】
【発明が解決しようとする課題】
【０００３】
コネクタが経時劣化で寿命に達した場合はこれを交換しなければならないが、従来はコネクタユニットが回路基板に固定されていたので、回路基板ごと交換することになり、コストの高い回路基板の不必要な交換により、経済的損失が生じるという問題があった。
本発明は、経済的損失の発生を回避することができる電子機器を提供することを目的とする。
【課題を解決するための手段】
【０００４】
上記目的を達成するために、請求項１記載の発明は、コネクタユニットを有する回路基板を組み込んだ電子機器において、コネクタユニットを回路基板に着脱自在に設けた電子機器を最も主要な特徴とする。
請求項２記載の発明は、コネクタユニットには外部記憶装置が着脱自在に取り付けられている請求項１記載の電子機器を主要な特徴とする。
請求項３記載の発明は、コネクタユニットと回路基板の着脱方向と、コネクタユニットと外部記憶装置の着脱方向は直交する請求項２記載の電子機器を主要な特徴とする。
請求項４記載の発明は、コネクタユニットと回路基板の着脱方向と、コネクタユニットと外部記憶装置の着脱方向は平行である請求項２記載の電子機器を主要な特徴とする。
【発明の効果】
【０００５】
本発明によれば、コネクタユニットを有する回路基板を組み込んだ電子機器において、コネクタユニットを回路基板に着脱自在に設けたので、コネクタユニットの交換に際し、交換の必要のない回路基板はそのまま使い続けることができる。
【発明を実施するための最良の形態】
【０００６】
以下、本発明の実施形態を図面に従って説明する。
図１は本発明の実施形態に係る電子機器の構成図である。
電子機器１は内部に回路基板２を有している。回路基板２にはコネクタユニット３が着脱自在に設けてある。またコネクタユニット３には外部記憶装置４が着脱自在に取り付けられている。
寿命に達したコネクタユニット３を交換する場合は、単に回路基板２からコネクタユニット３を取り外せばよい。そして外部記憶装置４を寿命に達したコネクタユニット３から取り外して、新たに装着されるコネクタユニット３に取り付ける。
図２はコネクタユニットと回路基板の着脱方向と、コネクタユニットと外部記憶装置の着脱方向が直交する場合を示す説明図である。電子機器１の上部と図における右側部にスペースがある場合は、このようにコネクタユニット３を上方に、外部記憶装置４を右側方に同時的に取り外すと、交換時間が短縮される。
【０００７】
図３はコネクタユニット３と回路基板２の着脱方向と、コネクタユニット３と外部記憶装置４の着脱方向が平行な場合を示す説明図である。電子機器１の上部にはスペースがなく、図における右側部にスペースがある場合は、まず(１)に示すように、外部記憶装置４を右側方に移動させて取り外し、ついで(２)に示すように、コネクタユニット３を右側方に移動させて取り外す。コネクタユニット３と外部記憶装置４の着脱方向が同じなので、初心者でも作業がしやすくなる。
【図面の簡単な説明】
【０００８】
【図１】本発明の実施形態に係る電子機器の構成図である。
【図２】コネクタユニットと回路基板の着脱方向と、コネクタユニットと外部記憶装置の着脱方向が直交する場合を示す説明図である。
【図３】コネクタユニットと回路基板の着脱方向と、コネクタユニットと外部記憶装置の着脱方向が平行な場合を示す説明図である。
【符号の説明】
【０００９】
１  電子機器
２  回路基板
３  コネクタユニット
４  外部記憶装置
【図１】
2007059214.tif 000003
【図２】
2007059214.tif 000004
【図３】
2007059214.tif 000005
(57)【要約】【構成】  内径の異なる一対の筒状の指輪を備え、各々の指輪の周縁部をはね上げてラッパ状に拡径するとともに各々の周端縁の外径を略同一にし、これらの周端縁が略隙間無く接触するようにした一対の指輪セットである。【効果】  一対の指輪を隙間無く並べた場合、一対の指輪の接触面に面一の状態で連設することができる。例えば、一人が二つの指輪を並べて嵌める場合、また、一対の指輪を並べて飾る場合に、一対の指輪は恰も一つの構造物の如く一体的な体系美を構成するため、一対の指輪としての一体性は向上し、その使用価値は従来に比べて極めて向上するものである。また、筒状の指輪を使用しているため、嵌めた場合に、隣の指との間に違和感は無く、その上、軽量化を図ることができる。【選択図】  図１
2007325805.tif 000002
【特許請求の範囲】
【請求項１】
内径の異なる一対の筒状の指輪を備え、各々の指輪の周縁部をはね上げてラッパ状に拡径するとともに各々の周端縁の外径を略同一にし、これらの周端縁が略隙間無く接触するようにしたことを特徴とする一対の指輪セット。
【請求項２】
互いに接触する指輪の周端縁を波形状にしたことを特徴とする請求項１の一対の指輪セット。
【請求項３】
周端縁の波形状の部分をフラット部にしたことを特徴とする請求項２の一対の指輪セット。
【発明の詳細な説明】
【技術分野】
【０００１】
この発明は一対の指輪セットに関し、婚約指輪、結婚指輪、友達指輪、親子指輪（母と娘，父と娘等が一緒にする指輪）等、一体性を主張するための一対の指輪として使用されるものである。
【背景技術】
【０００２】
従来におけるこの種の指輪セットにおいては、同じようなデザインの指輪を一対用意したものであり、これらの指輪を各自の指径に合わせて調節し、嵌めることによって互いの一体性を主張していた。
【０００３】
【特許文献１】特開２００２−１７４１４号公報
【発明の開示】
【発明が解決しようとする課題】
【０００４】
しかしながら、かかる従来の一対の指輪セットにあっては、各自の指輪の径が異なるため、二つの指輪を並んだ状態の場合、例えば、一人が二つの指輪を並べて嵌める場合、また、一対の指輪を並べて飾る場合に、一対の指輪の接触面に段差が発生し、この結果、一対の指輪としての一体性は失われ、その使用価値は極めて低下せざるを得ないという不都合を有した。
【０００５】
この発明の課題はこれらの不都合を解消することである。
【課題を解決するための手段】
【０００６】
前記課題を達成するために、この発明に係る一対の指輪セットにおいては、内径の異なる一対の筒状指輪を備え、各々の指輪の周縁部をはね上げてラッパ状に拡径するとともに各々の周端縁の外径を略同一にし、これらの周端縁が略隙間無く接触するようにしたものである。
【０００７】
なお、互いに接触する指輪の周端縁を波形状にすることもできる。
【０００８】
また、この場合、周端縁の波形状の部分をフラット部にすることもできる。
【発明の効果】
【０００９】
この発明に係る一対の指輪セットは上記のように構成されているため、即ち、内径の異なる一対の筒状の指輪を備え、各々の指輪の周縁部をはね上げてラッパ状に拡径するとともに各々の周端縁の外径を略同一にし、これらの周端縁が略隙間無く接触するようにしたため、一対の指輪を隙間無く並べた場合、一対の指輪の接触面に面一の状態で連設するものである。
【００１０】
よって、この一対の指輪セットを使用すれば、例えば、一人が二つの指輪を並べて嵌める場合、また、一対の指輪を並べて飾る場合に、一対の指輪は恰も一つの構造物の如く一体的な体系美を構成するため、一対の指輪としての一体性は向上し、その使用価値は従来に比べて極めて向上するものである。
【００１１】
また、筒状の指輪を使用しているため、嵌めた場合に、隣の指との間に違和感は無く、その上、軽量化を図ることができる。
【００１２】
なお、互いに接触する指輪の周端縁を波形状にすれば、一対の指輪が互いに回るのを防止することができ、この点からも一体性は一層向上するものである。
【００１３】
なお、この場合、周端縁の波形状の部分をフラット部にすれば、波形状の接触面が平面状になるため、突出部が無くなり、この結果、嵌めた場合に隣の指に違和感を与えないものである。
【発明を実施するための最良の形態】
【００１４】
本発明は、内径の異なる一対の筒状の指輪において、各々の指輪の周縁部をはね上げてラッパ状に拡径し、各々の指輪の周端縁の外径を略同一にし、これらの周端縁が略隙間無く接触させることに最も主要な特徴を有する。
【実施例１】
【００１５】
以下、この発明の実施例を説明する。
図１はこの発明に係る一対の指輪セットの第一実施例の斜視図、図２は同正面図、図３は同断面図、図４は第二実施例の正面図、図５は同断面図である。
【００１６】
図１〜図３において、Ｓは一対の指輪セットであり、第一指輪10と第二指輪20とから構成される。これらの指輪10,20 は筒状である。このため、軽量化が図れるとともに嵌めた場合に隣の指への違和感は少ないものである。ａは第一指輪10の内径、ｂは第二指輪20の内径ｂであり、各々使用する者の指径によって調節される。この実施例の場合には、第一指輪10の内径ａは第二指輪20の内径ｂよりも小である。
【００１７】
図３に示すように、第一指輪10および第二指輪20の周縁部11,21 は、各々外側に跳ね上げられて、ラッパ状に形成されている。そして、第一指輪10および第二指輪20の中心部12,22 よりもそれぞれ拡径され、各々の周端縁の外径は略同一になっている。このため、第一指輪10および第二指輪20の周端縁は略隙間無く接触する。
【００１８】
次に、図４及び図５に基づいて第二実施例を説明する。
この実施例は、互いに接触する第一指輪10および第二指輪20の各々の周端縁を波形状に形成したものである。このように形成すれば、両者を並べて配置した場合、互いに回るのを防止することができる。
【００１９】
この場合において、第一指輪10および第二指輪20の各々の周端縁の波形状の部分をフラット部13,23 にすれば（図５を参照のこと）、波形状の接触面が平面状になるため、突出部が無くなるものである。
【産業上の利用可能性】
【００２０】
婚約指輪、結婚指輪、友達指輪、親子指輪（母と娘，父と娘等が一緒にする指輪）一体性を主張するための一対の指輪として利用することができる。
【図面の簡単な説明】
【００２１】
【図１】図１はこの発明に係る一対の指輪セットの第一実施例の斜視図である。
【図２】図２は同正面図である。
【図３】図３は同断面図である。
【図４】図４は第二実施例の正面図である。
【図５】図５は同断面図である。
【符号の説明】
【００２２】
Ｓ  …  一対の指輪セット
10  …  第一指輪
11  …  第一指輪の周縁部
12  …  第一指輪の中心部
13  …  第一指輪のフラット部
ａ  …  第一指輪の内径
20  …  第二指輪
21  …  第二指輪の周縁部
22  …  第二指輪の中心部
23  …  第二指輪のフラット部
ｂ  …  第二指輪の内径
【図１】
2007325805.tif 000003
【図２】
2007325805.tif 000004
【図３】
2007325805.tif 000005
【図４】
2007325805.tif 000006
【図５】
2007325805.tif 000007
(57)【要約】【課題】      衣類の品質保持、取扱時の作業性向上を図るため、服が掛かる部分をスライドガイド（２）により可動させ丸首服の脱着と服を掛けた状態での肩幅の調整を容易にし、伸縮用パイプ（３）伸縮用バー（４）による伸縮機能でサイズの多様化が図れるハンガーを提供する。【解決手段】  スライドガイド（２）の中央上部に回転フック（１）を付属し、伸長用パイプ（３）と伸縮位置保持用突起（５）、伸縮最短時伸長用穴（６）を設けた伸縮用バー（４）を肩幅の長さに合わせて組付け、スライドガイドに挿入して使用する構造を特徴とする。【選択図】図１
2007325891.tif 000002
【特許請求の範囲】
【請求項１】
服が掛かる部分をスライドガイド（２）により可動させ丸首服の脱着と服を掛けた状態での肩幅の調整を容易にし、伸縮用パイプ（３）伸縮用バー（４）による伸縮機能でサイズの多様化が図れる構造のハンガーに関するものである。
【発明の詳細な説明】
【産業上の利用分野】
【０００１】  この発明は、衣類の品質保持、取扱時の作業性向上を図るため、服が掛かる部分をスライドガイド（２）により可動させ丸首服の脱着と服を掛けた状態での肩幅の調整を容易にし、伸縮用パイプ（３）伸縮用バー（４）による伸縮機能でサイズの多様化が図れる構造のハンガーに関するものである。
【背景技術】
【０００２】  服が掛かる部分が可動しないので衣類の品質保持、取扱時の作業性が悪い。
【発明が解決しようとする課題】
【０００３】（イ）丸首服の脱着性が悪く、首部が伸びてしまう。
（ロ）肩幅の調整が服を掛けた状態でできない。
（ハ）子供から大人までの服が、一つのハンガーで対応できない。
【課題を解決するための手段】
【０００４】  スライドガイド（２）の中央上部に回転フック（１）を付属し、伸縮用パイプ（３）と伸縮位置保持用突起（５）、伸縮最短時伸長用穴（６）を設けた伸縮用バー（４）を組付けた物をスライドガイド内に挿入する。
本発明は、以上のような構造よりなるハンガーである。
【発明を実施するための最良の形態】
【０００５】以下、本発明の実施例について説明する。
（イ）スライドガイド（２）の中央上部に回転フック（１）を付属する。
（ロ）伸縮用パイプ（３）と伸縮用バー（４）を組み付けスライドガイドに挿入し、伸縮最短時伸長用穴（６）を利用し肩幅に長さを合わせる。
本発明は以上のような仕様で、これを使用する時は、オープンシャツの場合、従来同様。丸首服は片側の組み付けた伸縮パイプ（３）伸縮バー（４）をスライドガイド（２）の出口まで引き抜き、反対側の伸縮バー（４）を服に挿入する。その後、引き抜いた方の伸縮バー（４）を鉛直の状態にし自由落下させ服を掛ける。外す時は片側の組み合わせた伸縮パイプ（３）伸縮バ−をスライドガイド出口まで引き抜く。
【発明の効果】
【０００６】  これには次のような効果がある。
（イ）子供から大人までフリーサイズの服が一つのハンガーで対応できる。
（ロ）丸首服首部の伸びが防止できる。
（ハ）服外に伸縮パイプが出ているので服を掛けた状態でも、その位置を変えることで肩幅の調整が簡単にできるので、肩部の型くずれ防止が向上する。
【図面の簡単な説明】
【図１】本発明の組み立て図の正面図である。
【図２】本発明のスライドガイド左側面図である。
【図３】本発明のスライド用パイプの図面である。
【図４】本発明のスライド用バーの図面である。
【図１】
2007325891.tif 000003
【図２】
2007325891.tif 000004
【図３】
2007325891.tif 000005
【図４】
2007325891.tif 000006
(57)【要約】【課題】洗濯物を洗濯ばさみに挟みとき従来の洗濯ばさみのつかむ部位と挟む部位が離れているのを近づけ  目が不自由でも力を入れる手指の間に洗濯物を持って行けば挟めることを可能にする洗濯ばさみを提供する。【解決手段】Ｖ字形  または∪字形または  コの字型  または半円形  の形状のものを２個作成して真ん中を支点とし組み合わせ  ピンチ部が外側の開閉操作部の間になるようにした洗濯ばさみである。【選択図】図３
2007325896.tif 000002
【特許請求の範囲】
【請求項１】
Ｖ字形  または∪字形  またはコの字型  または半円形  の形状からなる本体２個を重ね合わせ中央をを支点とし組み合わせ  ピンチ部（圧接部）が両側の開閉操作部の間になるようにした両指が近づく洗濯ばさみ。
【発明の詳細な説明】
【技術分野】
【０００１】  本発明は  洗濯物を洗濯ばさみに挟むとき従来の洗濯ばさみの洗濯ばさみをつかむ部位と挟む部位が離れているのを近づけ  目が不自由でも力を入れる部位の間に洗濯物を持って行けば挟めることを可能にする洗濯ばさみに関するものである。
【背景技術】
【０００２】  洗濯ばさみは  洗濯物を挟むピンチ部位と開閉操作部が支点を中心に両側に離れているため  片手で開閉操作部を持ちピンチ部に余った片手で洗濯物を持っていき使用する。
【発明の開示】
【発明が解決しようとする課題】
【０００３】  目が不自由な人が洗濯ばさみを使用するとき開閉操作部を探し更にピンチ部を確認して洗濯物を挟む。このとき  両手指の右と左が離れる。物をつかむとき両手指が出来るだけ近づくのが好ましい。
本発明は、以上の問題点を解決するためになされたものである。
【課題を解決するための手段】
【０００４】  Ｖ字形  または∪字形  またはコの字型  または半円形  の形状のものを２個作成して真ん中を支点とし組み合わせる。中央部の二つの先端をピンチ部とし外側二つの先端を開閉操作部とする。以上を特徴とする洗濯ばさみである。
【発明の効果】
【０００５】  本発明は、洗濯ばさみの開閉操作部とピンチ部が接近しているため洗濯物を挟むとき両手の指が接近するため操作が容易である。
【発明を実施するための最良の形態】
【０００６】    以下、本発明の実施の形態を説明する。
イ）支点部がピンチ部（圧接部）の中間となる。
ロ）Ｖ字形  または∪字形またはコの字型  または半円形  の本体を２個作成して  重ね合わせ真ん中を支点とし組み合わせる。開閉操作部がピンチ部の外側になり  開閉操作部を圧迫することにより  ピンチ部が開く様にする  。このとき  開閉操作部がピンチ部先端と揃うようにすると使いやすい。
本発明を使用するときは、開閉操作部（３）を２本の指で挟みピンチ部（圧接部）（１）をひらき形成される挟持部（４）に洗濯物を差し込む。開閉操作部（３）の指の力を抜けばピンチ部（１）が閉じて洗濯物を保持固定することができる。
【図面の簡単な説明】
【０００７】
【図１】本発明の斜視図
【図２】本発明の正面図
【図３】本発明の他の実施例を示す正面図
【図４】本発明の他の実施例を示す正面図
【符号の説明】
【０００８】  １  ピンチ部（圧接部）
２  支点
３  開閉操作部
４  挟持部
５  指先
【図１】
2007325896.tif 000003
【図２】
2007325896.tif 000004
【図３】
2007325896.tif 000005
【図４】
2007325896.tif 000006
(57)【要約】【目的】本発明は底体に靴下を結合してサンダルとして使用でき、しかも底体の持ち運びは嵩張らないため容易である靴下サンダルの提供を目的とする。【構成】本発明の靴下サンダルは底体に靴下の底部を結合したサンダルであるため必要な時にサンダルとして使用でき、しかも底体の持ち運びは嵩張らないため容易である。【選択図】図１
2007325898.tif 000002
【特許請求の範囲】
【請求項１】
底体に靴下の底部を結合した靴下サンダル
【請求項２】
底体の溝に靴下の底部を結合した靴下サンダル
【請求項３】
底体の溝に靴下の内部から環状の結合手段で靴下の底部を結合した靴下サンダル
【発明の詳細な説明】
【発明の詳細な説明】
【技術分野】
【０００１】本発明は底体に靴下を着脱可能に結合してサンダルとして使用可能な靴下サンダルに関するものである。
【背景技術】
【０００２】従来においてサンダルは公知であり、また靴下も公知であるが底体に靴下を着脱可能に結合してサンダルとして使用可能な靴下サンダルは開発されていない。
【発明が解決しようとする課題】
【０００３】本発明は以上の従来の課題を解決し底体に靴下を結合してサンダルとして使用でき、しかも底体の持ち運びは嵩張らないため容易である靴下サンダルの提供を目的とする。
【課題を解決するための手段】
【０００４】本発明は以上の目的達成のために底体に靴下の底部を結合した靴下サンダルを提案するものである。
【発明の効果】
【０００５】本発明の靴下サンダルの効果は次の通りである。
本発明の靴下サンダルは底体に靴下の底部を結合したサンダルであるため必要な時にサンダルとして使用でき、しかも底体の持ち運びは嵩張らないため容易である。
【発明を実施するための最良の形態】
【０００６】以下本発明の靴下サンダルを図面に示す実施例に従って説明する。
図１は本発明の靴下サンダルを示し、該靴下サンダルは底体（１）に靴下（５）の底部を結合したものである。
靴下（５）の底部を底体（１）に結合する方法としては例えば靴下（５）の底部に複数のホックを固定しておき底体（１）の上表面にもホックを固定しておき両者を結合する方法、同様にマジックテープで結合する方法等がある。
本発明の靴下サンダルはその結合方法を限定しないが、最良の形態として図示の実施例について説明する。
すなわち底体（１）はゴム、発泡樹脂等で製造され板状の底部（１ａ）及び該底部（１ａ）から外周縁を残して上方に盛り上げられた上部（１ｂ）からなる。
該上部（１ｂ）の側面全周には溝（２）が設けられる。
一方合成樹脂、ひも、金属等からなる環状の結合手段（４）が靴下（５）の内部に入れられる。
すなわち図２に示す様に靴下（５）の内部に入れられた環状の結合手段（４）が靴下（５）を挾んで上部（１ｂ）の溝（２）に勘着される。
これにより底体（１）の溝（２）に靴下（５）の底部が結合され靴下サンダルとなる。【０００７】使用者が靴下サンダルで歩行した際には靴下（５）は結合手段（４）で底体（１）に結合されているため外れない。
また靴下サンダルの使用が終了すれば結合手段（４）を底体（１）から外せば靴下（５）は底体（１）から外れる。
外した状態で底体（１）の持ち運びは嵩張らないし、外した状態で底体（１）及び靴下（５）の洗濯が可能になる。
【図面の簡単な説明】
【０００８】
【図１】本発明の靴下サンダルの一部断面側面図
【図２】本発明の靴下サンダルの組み立て状態を示す（Ａ部を破断した）斜視図
【符号の説明】
【０００９】１    底体
１ａ  底部
１ｂ  上部
２    溝
４    結合手段
【図１】
2007325898.tif 000003
【図２】
2007325898.tif 000004
(57)【要約】      （修正有）【課題】介護を必要とする人、寝たきり老人のオシメの取替えが必要なことを知らせる濡れ感知センサーと警報を発報する器具を備えたオシメを提供する。【解決手段】＋極（ア）及び−極（イ）を備えるセンサーに水及び水滴がつく事により、電極間が濡れて通電し、発光ダイオード（ＬＥＤ）（ク）が光り、オシメが濡れた事を知らせるシステムを、クリップ（ケ）に装着しオシメの中に入れておく。またＩＣチップ（キ）を通して表示板やパーソナルコンピューターに表示される。【選択図】図１
2007325892.tif 000002
【特許請求の範囲】
【請求項１】
センサーの先端に＋と−の電極を取り付けたものである。
【請求項２】
濡れを感知したらＬＥＤ（発光ダイオード）が光り、濡れた事が分かるようにしたものである。
【請求項３】
濡れた事をＩＣチップで標示板やパーソナルコンピューターで表示され、濡れた事が分かるようにした物である。
【発明の詳細な説明】
【発明の詳細な説明】
【産業上利用分野】
【０００１】  介護老人、寝たきり老人、乳幼児等のオシメを素早く的確に取り替えてあげる事でヘルパーの介護が楽になり、介護産業のサービス向上に役立つのである。
【背景技術】
【０００２】  定期的にヘルパーがオシメが濡れてないか、汚れていないかオシメの中を調べるしかなかったが、この感知センサーは従来にないシステムで、従来の技術で十分な上に問題はないのである。
【発明が解決しようとする課題】
【０００３】  介護老人者が増える中、個人、在宅、ホームであれ下の世話、特にオシメの取替えは一日何回も取り替えなければならず大変である。オシメの中の調べは濡れていないか、汚れていないか定期的に調べて回らなくてはならず、クリップ感知センサーをオシメの中に入れておくだけで濡れ汚れを感知するセンサーである。
【課題を解決するための手段】
【０００４】  センサーの隙間を狭くする事により水及び水滴がつき＋極と−極が濡れる事で、電気が流れ、発光ダイオード（ＬＥＤ）が光り、オシメが濡れた事が分かるようにした物である。
【発明実施の形態】
【０００５】  センサーの先端の部分には＋極と−極の端子が取り付けてあり、電源は乾電池（アルカリ．リチウム）を使用、発光ダイオード（ＬＥＤ）及びＩＣチップが内蔵されている。
【実施例】
【０００６】試作実験の結果、誤作動もなく大変満足のいく結果であった。
【発明の効果】
【０００７】  オシメの中を調べる検査がクリップ感知センサーがある事で、時間のかかる検査が素早く済み、ヘルパー、看護士の仕事が大変楽になり、発明の効果は大いに期待できるのである。
【図面の簡単な説明】
【図１】  正面図Ａ  側面図Ｂ  （ア）＋極  （カ）アダプター  （イ）−極  （キ）ＩＣチップ  （ウ）ケーブル  （ク）発光ダイオード（ＬＥＤ）  （エ）ケース  （ケ）クリップ  （オ）乾電池（アルカリ及びリチウム）
【図１】
2007325892.tif 000003
(57)【要約】【課題】Ｏ脚予防およびダイエット効果を高める。【解決手段】従来の靴中敷きのかかと内側・親指側に半円月形の凹みを作り歩くとき力が体の中心に集まるように考え特徴とした。【選択図】図１
2007325897.tif 000002
【特許請求の範囲】
【請求項１】
この発明は・加齢とともに・体に生じるＯ脚を予防するとともに・これを使用して生じた・ダイエット効果に着目した。足裏のかかとの内側・親指側に半月形の凹み部分を作り・又は凹み部分をカットし・これを特徴とした靴中敷きである。
【発明の詳細な説明】
【技術分野】
【０００１】この発明は・加齢とともに・体に生じるＯ脚予防と・これを使用して生じたダイエットに関するものである。
【背景技術】
【０００２】従来のＯ脚初期予防には足裏外側を少し高くした靴中敷きはあるがより高く効果を上げるためこのような形を特徴としたものは見当たらない。
【発明の開示】
【発明が解決しようとする課題】
【０００３】Ｏ脚の初期において立ち歩くとき・足裏の外側に体重をかけることに気が付いた・体重移動が外側ばかりにかからないように考え特徴とした。
本発明は・以上の課題を解決するために発明されたものである。
【課題を解決するための手段】
【０００４】足の裏のかかとの内側・親指側に半月形のへこみ部分を作り立ち歩くときに・より多くの力が集まるようにした。
【発明の効果】
【０００５】この発明により体の中心に力が加わるため・Ｏ脚予防・又はお腹の深層筋が鍛えられ・ダイエットにも効果がある・便秘・失禁予防にもつながる。
【発明を実施するための最良の形態】
【０００６】この靴中敷きは・足裏のかかと内側・親指側部分を・半月形にカットするか・又は半月形に凹みを作る。靴中敷きの厚みは７ミリ以内とする。
以上が本発明の実施形態である。
本発明を仕様するには・この形態で靴中敷として使用する。
材質はポリエステル・ポリウレタンスポンジ・タオル地・紙質など適宜選択できる。
【図面の簡単な説明】
【０００７】
【図１】
【符号の説明】
【０００８】１      従来の靴中敷き。
２      かかと内側の凹み又はカット切り取り部分。
３      親指側の凹み又はカット切り取り部分。
４      厚み７ミリ以内。
【図１】
2007325897.tif 000003
(57)【要約】      （修正有）【課題】急須の機能を備え、茶飲み用として好適な茶飲み茶碗を提供する。【解決手段】茶碗本体１の内部を傾斜壁２によって区画した一対の区画室３，４で構成し、該区画室３，４を前記傾斜壁２の下部に装置した多孔部５で互いに連通させる。そして、傾斜壁２の下面２´´側の区画室４に適量の茶葉を投入し、上面２´側の区画室３を通じて茶湯を飲用に供する。【選択図】図１
2007325833.tif 000002
【特許請求の範囲】
【請求項１】
茶碗本体の内部を傾斜壁によって区画した、一対の区画室で構成し、該区画室を前記傾斜壁の下部に装置した多孔部を介して互いに連通させた、茶飲み茶碗。
【発明の詳細な説明】
【技術分野】
【０００１】
本発明は、茶飲み茶碗に関するものである。
【背景技術】
【０００２】
茶（緑茶）葉を直接利用して茶飲みをする際には、急須を利用して茶がらを別にして茶碗に注いで引用に供しているのが一般である。
【発明の開示】
【発明が解決しようとする課題】
【０００３】
このように急須を利用した茶飲みは、後形付けの面倒や茶碗以外に急須を用いるという煩雑さがある。
【０００４】
本発明は、急須のように茶こしができる茶飲み茶碗として好適な製品を提供することを目的として創案したものである。
【課題を解決するための手段】
【０００５】
茶碗本体の内部を傾斜壁によって区画した、一対の区画室で構成し、該区画室を前記傾斜壁の下部に装置した多孔部を介して互いに連通させた構成とするのである。
【発明の効果】
【０００６】
本発明によれば、傾斜壁の下面側の区画室に茶葉を投入して熱湯を注ぎ込むと、浸出した茶はこされて傾斜壁の上面側の区画室に移動して飲用に供することができ、該上面側の区画室の開口端から飲むに際して傾斜壁の存在によって上面側の区画室の茶は、多孔部を通じて下面側の区画室に流れることになり、従って、茶がらが邪魔にならず、むしろ茶がらからの香りを楽しみつつ、茶飲み用として好適な茶碗を提供できる。
【実施例】
【０００７】
図面は本発明に係る茶飲み茶碗の実施例を示し、図１は第一実施例の縦断面図、図２は同平面図、図３は第二実施例の縦断面図、図４は同平面図、図５は第三実施例の縦断面図、図６は同平面図である。
【０００８】
実施例の茶飲み茶碗Ａは、茶碗本体１の内部１´に傾斜壁２を設け、該傾斜壁２によって前記内部１´を一対の区画室３，４を備えて成り、区画室３，４は前記傾斜壁２の下部に装置した多孔部５によって互いに連通させたもので、傾斜壁２の下面２´´側の区画室４に茶葉ｔを投入し、上面２´側の区画室３を通じてお茶を飲用するようにしたものである。
【０００９】
なお、傾斜壁２の上端中央部２ａを凹ませてあるのは、飲用に供したとき、傾斜壁２の鼻に対する接触を避けるためである。
【００１０】
第一実施例
図１及び図２で示す第一実施例は、茶碗本体１と傾斜壁２を一体にして成るもの（概し、陶磁器）で、傾斜壁２の下部に多数の孔５ａ，…を設けて多孔部５としたものである。
【００１１】
第二実施例
図３及び図４で示す第二実施例は、茶碗本体１に傾斜状にした係合溝６，６を相対して設け、該係合溝６，６に区画板７を係脱自在に摺嵌して傾斜壁２を構成させたもので、前記区画板７は主体部７ａの下部に網シート７ｂを取替え自在に取付けて（一体的でも良い）前記の多孔部５としたものである。
【００１２】
第三実施例
第三実施例は、茶碗本体１に一体に設けた傾斜壁２の下部に傾斜壁２で区画される区画室３，４を連通する方形状の窓口８を設け、該窓口８にけんどん式にして網枠９を着脱自在に取付けて閉塞し、該網枠９に備えた網シート９ａを多孔部５として構成したもので、第二実施例と同様に網シート９ａの網目の径を違えることにより当該緑茶に対応したお茶を得ることができる。
【図面の簡単な説明】
【００１３】
【図１】第一実施例の縦断面図。
【図２】第一実施例の平面図。
【図３】第二実施例の縦断面図。
【図４】第二実施例の平面図。
【図５】第三実施例の縦断面図。
【図６】第三実施例の平面図。
【符号の説明】
【００１４】
１      茶碗本体
２      傾斜壁
３，４  区画室
５      多孔部
【図１】
2007325833.tif 000003
【図２】
2007325833.tif 000004
【図３】
2007325833.tif 000005
【図４】
2007325833.tif 000006
【図５】
2007325833.tif 000007
【図６】
2007325833.tif 000008
(57)【要約】【課題】美容師が櫛で髪の毛をとかして顧客の望む長さに切った場合、長さの確認を目視で行うことでしかできないため、望まれた長さになっているのか分かりにくかった。【解決手段】櫛１に物指しの目盛りを付ける。目盛りは例えば、櫛の側面にセンチ、ミリの物指し目盛り２を切り込み・印刷・シール貼付け等によって付けたものである。【選択図】図１
2007325889.tif 000002
【特許請求の範囲】
【請求項１】
櫛の側面にセンチ、ミリの物指し目盛りを切り込み・印刷・シール貼付け等によって付け、櫛と物指しを一体化させたことを特徴とする櫛。
【発明の詳細な説明】
【技術分野】
【０００１】  この発明は、美容師等が用いる櫛に関する。ここから書き始めます。
【背景技術】
【０００２】  従来の美容師等が用いる櫛には物指し機能はついていない。
【発明の開示】
【発明が解決しようとする課題】
【０００３】  しかしながら、従来の物指し機能のない櫛によれば、例えば美容師が櫛で髪の毛をとかして顧客の望む長さに切った場合、長さの確認を目視で行うことでしかできないため、望まれた長さになっているのか分かりにくかった。
そこで、この発明は、櫛に物指しの機能を提供することを課題とする。
【課題を解決するための手段】
【０００４】  以上の課題を解決するために、本発明は、櫛の側面にセンチ、ミリの物指し目盛りを切り込み・印刷・シール貼付け等によって付け、物指し機能を設けたことを特徴とする櫛である。
【発明の効果】
【０００５】  本発明によれば、櫛の側面に物指し機能を設けたので、髪の毛などをとかして切る場合に髪の毛の長さが測りやすい。
【発明を実施するための最良の形態】
【０００６】  この発明の一実施形態を、図１、図２に示す。
本体１は櫛であり、この本体１の側面に、センチ、ミリの物指し目盛り２が設けられている。【０００７】「実施形態の効果」
この実施形態によれば、髪の毛など櫛でとかして目的の長さに切る際に、櫛に付いた物指し目盛りによって長さが正確に測れるようになり、確認し易くなる。【０００８】「他の実施形態」
図、図２の実施形態では、物指しの目盛りは櫛の片面にあるが、他の実施形態では、物指しの目盛りは櫛の両面に設けても良い。
また鏡に映して櫛の物指し目盛りを見ることを考慮して、目盛りの文字を反転させて印刷などをしても良い。
また鏡に映す位置が遠く、目盛りの数字が見えにくいことを考慮して、１センチ毎の目盛りを太く、長くしても良い。
【図面の簡単な説明】
【０００９】
【図１】この発明の一実施形態を示す図である。
【図２】この発明の他の一実施形態を示す図である。
【符号の説明】
【００１０】１  櫛本体
２  物指しの目盛り
【図１】
2007325889.tif 000003
【図２】
2007325889.tif 000004
(57)【要約】      （修正有）【課題】従来の陶磁器製品に比べ軽量で断熱性及び耐水性等を有したセラック製浴槽を簡単に低コストで作成する方法の提供。【解決手段】パーライトやシラスバルーンや石炭灰等の軽量骨材と耐火骨材を含む混和剤とアルミナセメント、水硬性アルミナのいずれか一方またはそれらの混合物からなる水硬性キャスタブルを鋳込み成型して得た硬化体を脱型した後に施釉して焼成したセラミック製浴槽。【選択図】なし【特許請求の範囲】
【請求項１】
耐火性骨材を４５〜９０重量％、結合材としてのアルミナセメント、水硬性アルミナのいずれか一方またはそれらの混合物を１０〜５５重量％混合してなるキャスタブル断熱材からなり、成型後に表面に釉薬をコーティングして焼成する浴槽。
【請求項２】
前記耐火性骨材はシャモット骨材、ムライト骨材及び発泡性骨材から選ばれる１種以上からなることを特徴とする請求項１記載の浴槽。
【請求項３】
前記発泡性骨材がパーライト、シラスバルーン及び石炭灰から選ばれる１種以上からなることを特徴とする請求項１記載の浴槽。
【発明の詳細な説明】
【技術分野】
【０００１】この発明は、セラミック製浴槽及びその製造方法に関するものである。
【背景技術】
【０００２】従来、陶器調の模様を有する意匠性に優れた浴槽は特許番号２９６７２５６公報に記載されているように、型上に透明または薄く着色したゲルコート材を吹き付けて光沢層を形成し、該光沢層上に着色したゲルコート材を吹き付けて化粧層を形成し、該化粧層上にレジンコンクリート，ＦＲＰ等よりなる補強層を積層して形成される浴槽に、前記化粧層または光沢層の形成時に、前記型を反転させるとともに、ゲルコート材を部分的に集中吹き付けして該ゲルコート材の一部を型に沿って垂らし、垂れ模様を形成し、この垂れ模様が陶器の釉薬が垂れたような感じとなり、陶器調の模様を有する浴槽とすることが提案されている。【０００３】しかし本方法においては陶器様の味わいが出てはいるが陶器と比べて耐熱水性，耐薬品性が不十分であって、長期使用の間に樹脂の劣化が起こり、永年耐久寿命の点で問題があり、その性質の違いは明白である。
また特開平１０−４４１１５に陶磁器製の大型一体成型水槽の製造方法が開示されているが、その重量はかなり重く実用的には難があった。
【発明の開示】
【発明が解決しようとする課題】
【０００４】陶磁器調のあじわいをと耐熱水性、耐薬品性を有し、軽量なセラミック製浴槽を提供する。また複雑なデザインにも低コストで対応を可能にする。
【課題を解決するための手段】
【０００５】本発明は上記従来の問題点に鑑み案出したものであって、陶器調の模様を有する意匠性に優れた浴槽の製造方法を提供せんことを目的とし、その要旨は、キャスタブルセメントに発泡混和等を混合した硬化体により浴槽を成型することである。
要求の形状に型を作成しその型にスラリー状にした原料を流し込み養生硬化し、脱型後に施釉し焼成する。
【発明の効果】
【０００６】パーライトやシラスババルーン、石炭灰等の発泡骨材の混合により軽量化し、また釉薬をコーティングし焼成し表面にガラス層を形成するため吸水性の無い、陶器調の模様を有する浴槽とすることができるためデザインの多様化が可能な上陶磁器独特の重厚感と高級感も出すことが可能になる。【０００７】本発明は、型にキャスタブルセメントを流し込み成型した大型一体成形体に透明または薄く着色した釉薬を吹き付けて焼成しガラス層を形成し、陶器調の高級感を呈し、浴槽の意匠性が極めて向上できる効果を有する。【０００８】また型にスラリーを流し込む所謂射出成型で成型するため形状に自由度があり、製造する浴槽の寸法形状に適合されるべく小型浴槽から大型浴槽及び異型、変型に至るまであらゆる形状の浴槽の製造が可能となった。
【発明を実施するための最良の形態】
【０００９】所定量に調合された骨材に水硬性アルミナを加えこれを１としたとき、２０ｗｔ％〜５０ｗｔ％の水を加えミキサーで５〜１０分攪拌し予め設置された型に流しいれる。【００１０】そのあとバイブレーター等による振動でスラリーの脱泡を行うと同時に流しいれたスラリーの表面を平坦化する。十分に養生し硬化したのち、型から脱型し成形体をとりだす。【００１１】さらにスプレー塗布またはディップ等窯業ではよく知られた方法で施釉を行う。その後焼成して浴槽とする。
【実施例１】
【００１２】以下、本発明の実施例を図面に基づき説明する。まず、外型と内型を所定の厚みが得られるように組み合わせて設置して鋳込型とする。【００１３】軽量断熱キャスタブルは、骨材８０重量％と硬化剤２０重量％で調合された原料１に対し２０重量％の水を添加し、ミキサーで約５〜１０分混練し、スラリーとする。次に前期鋳込型にスラリーを流し込む。このとき外型と内型がしっかりと固定されないと型合わせ面からスラリーが流れ出す恐れがある為十分な強度にボルト等で固定されている必要がある。【００１４】図１は型にスラリーを流し込んだ状態を示す。
気泡が施工されたキャスタブルに残存すると強度低下を発生させ且つ焼成時に水蒸気爆発の恐れが生じるため脱泡させる必要がある。脱泡方法に付いては種々行われている。【００１５】ここではより効果的に脱泡を行うため、バイブレーター振動により丁寧に短時間に行なう必要がある。それにより焼成時の破裂等の危険を防止する事が可能であり、尚且つキャスタブルの強度をも得られる。【００１６】成形され硬化した軽量断熱キャスタブルは外型と内型とを脱型し軽量断熱浴槽が成形される。
図２に脱型された状態を示す。【００１７】成形された軽量断熱浴槽は、含水分を除去する必要があり十分に乾燥する必要がある。乾燥方法は天日及び火力と除湿とあり形状・サイズに合わせた方法を行なう必要がある。本焼成の際に不具合を発生させない為にも必ず充分に乾燥を行い実行する。【００１８】乾燥された軽量断熱浴槽は、陶器と同じように底部を除き全面に釉薬を塗布する必要があり、それにより陶器と同じような質感を出す事が必要であると同時に、表面に光沢を与える事が出来、更に滑らかとなり且つ浴槽内の清掃が簡便で常に衛生的で安心感が得られる特徴がある。【００１９】施釉された軽量断熱浴槽は光沢と滑らかさを出すために、本焼成１２５０℃前後の焼成が必要となる。本焼成された軽量断熱浴槽は陶器と同様な浴槽となり、更に軽量のため従来の陶器浴槽より２０％前後軽く更に断熱効果により冷めにくく快適な入浴が得られる。本焼成された軽量断熱浴槽本体は本焼結されることにより従来材質のキャスタブル成型体に比べ３倍強の強度が得られる。
【産業上の利用可能性】
【００１９】浴槽以外にも大型の水槽や、衛星陶器を製造する方法としても応用可能である。
【図面の簡単な説明】
【図１】浴槽を製造する外型、内型にキャスタブルを流し込んだ状態の断面図である。
【図２】脱型後の浴槽の断面図
【符号の説明】
１  外型
２  内型
３  成形体
【図１】
2007325890.tif 000002
【図２】
2007325890.tif 000003